(57)【要約】【課題】予め記憶手段に言語データを記憶しておかなくても、利用者の選択により極めて容易に必要な言語の文字列データを、内線電話機の表示部に表示することができる構内交換機を提供することを目的とする。【解決手段】記憶媒体１５から文字列ファイルデータを読み出して記憶手段１７に記憶するとともに、記憶手段１７に記憶した文字列ファイルデータ１７ａに従って、内線電話機２の表示部に文字列を表示するＬＣＤ制御手段２０ｂとを備えた。【選択図】  図１
2004282333.tif 000002
【特許請求の範囲】
【請求項１】
表示部を備えた内線電話機を接続可能な構内交換機であって、表示部を備えた複数の内線電話機を接続するための内線インターフェイスと、脱着可能な記憶媒体を接続し、該記憶媒体に記憶された文字列ファイルデータを読み取ることができる記憶媒体読込手段と、
前記記憶媒体読込手段を動作させ、前記記憶媒体から前記文字列ファイルデータを読み出して記憶手段に記憶するとともに、該文字列ファイルデータに従って前記内線電話機の表示部に文字列を表示する制御手段とを備えたことを特徴とする構内交換機。
【請求項２】
前記制御手段は、前記記憶媒体読込手段により読み出したデータに予め設定された文字列ファイル名のデータがあった場合に、前記記憶媒体から前記文字列ファイルデータを読み出して前記記憶手段に記憶することを特徴とする請求項１記載の構内交換機。
【請求項３】
前記制御手段は、前記記憶媒体に予め設定された文字列ファイル名のデータが２以上存在していると判定した場合には、存在する文字列ファイル名のデータ全てを読み出して、前記記憶手段に記憶することを特徴とする請求項２記載の構内交換機。
【請求項４】
前記内線電話機ごとに、前記記憶手段に記憶した文字列ファイルの１つを対応付ける内線電話機言語テーブルが設けられたことを特徴とする請求項３記載の構内交換機。
【請求項５】
前記制御手段は、電源が入力された場合または読み込み要求があった場合に、前記記憶媒体読込手段を動作させ、前記記憶媒体から前記文字列ファイルデータを読み出して前記記憶手段に記憶することを特徴とする請求項１〜４のいずれかに記載の構内交換機。
【請求項６】
前記制御手段は、前記内線電話機の表示部に表示した文字列を変更するときに、前記内線電話機言語テーブルを参照して、前記表示部に表示する文字列ファイルを選択するとともに、該選択した文字列ファイルを前記記憶手段から取り出して、前記内線電話機の表示部に文字列を変更表示することを特徴とする請求項４または５に記載の構内交換機。
【請求項７】
所定の言語で記述された基本文字列ファイルを記憶する第２の記憶手段を備え、前記制御手段は、電源が入力された場合または読み込み要求があった場合に、前記記憶媒体読込手段を動作させ、前記記憶媒体から前記文字列ファイルデータを読み出すことができないと判定した場合には、前記第２の記憶手段に記憶した基本文字列ファイルの文字列データを読み出して、前記内線電話機の表示部に文字列として表示することを特徴とする請求項１〜６のいずれかに記載の構内交換機。
【請求項８】
表示部を備えた内線電話機を接続可能な構内交換機であって、第１の言語で記述された複数の文字列から構成される第１の文字列ファイルと第２の言語で記述された複数の文字列から構成される１以上の第２の文字列ファイルとが同一の配列構造で対応付けられて記憶可能な第１の記憶手段と、
前記内線インターフェイスごとに前記第１の文字列ファイルまたは前記第２の文字列ファイルを指定する指定手段と、
前記指定手段により指定され、前記内線電話機が接続される内線インターフェイスごとに前記第１の文字列ファイルまたは前記第２の文字列ファイルを関連付けた電話機言語テーブルと、
脱着可能な記憶媒体を接続し、該記憶媒体に記憶された文字列ファイルデータを読み取ることができる記憶媒体読込手段と、
電源が入力されたとき前記記憶媒体読込手段を動作させ、前記記憶媒体読込手段により読み出したデータに予め設定された文字列ファイルのファイル名があった場合には、前記記憶媒体読込手段により前記記憶媒体から前記文字列ファイルを読み出させるとともに、所定の順序で前記配列構造の１以上の文字列ファイルとして前記第１の記憶手段に記憶させ、前記内線電話機言語テーブルに基づいて、前記記憶手段の文字列ファイルを選択するとともに、該文字列ファイルから前記内線電話機の表示部に表示する文字列を取り出して、前記内線電話機に送信する制御手段と、を備えたことを特徴とする構内交換機。
【請求項９】
所定の言語で記述される複数の文字列を有する基本文字列ファイルを記憶する第２の記憶手段を備え、
前記制御手段は、前記記憶媒体読込手段により読み出したデータに文字列ファイルのファイル名がなかった場合には、前記第２の記憶手段から前記基本文字列ファイルを取り出し、該基本文字列ファイルを、前記第１の文字列ファイルとして前記第１の記憶手段に記憶させることを特徴とする請求項８に記載の構内交換機。
【発明の詳細な説明】
【０００１】
【発明の属する技術分野】
本発明は、内線電話機の表示部に文字列を表示可能な構内交換機に関するものである。
【０００２】
【従来の技術】
従来から、着信や発信の状態や操作ボタンの操作指示等を内線電話機の表示部に表示するボタン電話装置等の構内交換機がある（例えば、特許文献１参照）。
【０００３】
このような構内交換機は、内線電話機の表示部に表示する着信や発信の状態や操作ボタンの操作指示等の文字列データを記憶手段に記憶しておき、その記憶手段から取出して、状況に応じた文字列を表示部に表示させるものであり、内線電話機の利用者に種々の情報を提供できる点で便利である。
【０００４】
一方、このような構内交換機を、言語の異なる複数の国で販売するためには、国ごとに言語の異なる文字列データを記憶した構内交換機を開発する必要があり、このような場合に販売台数が少ないと非効率的となり生産性が低くなる。そこで予め複数の言語の文字列データを記憶しておき、内線ごとに使用する文字列データを割当てることによって対応することも考えられる（例えば、特許文献２参照）。
【０００５】
【特許文献１】
特開平３−２８３７９７号公報
【特許文献２】
特開昭６０−６４５６０号公報
【０００６】
【発明が解決しようとする課題】
しかしながら、（特許文献２）のように複数の言語の文字列データを記憶しておき、内線毎に使用する文字列データを割当てる場合、言語の数が多くなればなるほど記憶手段として確保すべき記憶容量が大きくなり、また、内線毎に文字データを選択する作業も煩わしくなるという課題があった。さらに、記憶手段に記憶していない言語の文字列データを簡単に追加することもできない。
【０００７】
本発明は、上記従来の課題に鑑み、予め記憶手段に言語データを記憶しておかなくても、利用者の選択により極めて容易に必要な言語の文字列データを、内線電話機の表示部に表示することができる構内交換機を提供することを目的とする。
【０００８】
【課題を解決するための手段】
本発明は上記従来の課題を解決するために、表示部を備えた複数の内線電話機を接続するための内線インターフェイスと、脱着可能な記憶媒体を接続し、該記憶媒体に記憶された文字列ファイルデータを読み取ることができる記憶媒体読込手段と、記憶媒体読込手段を動作させ、記憶媒体から文字列ファイルデータを読み出して記憶手段に記憶するとともに、該文字列ファイルデータに従って内線電話機の表示部に文字列を表示する制御手段とを備えたことを特徴とする。
【０００９】
これにより、予め記憶手段に言語データを記憶しておかなくても、利用者の選択により極めて容易に必要な言語の文字列データを、内線電話機の表示部に表示することができる構内交換機を提供することができるようになった。
【００１０】
【発明の実施の形態】
本発明の第１の発明は、表示部を備えた内線電話機を接続可能な構内交換機であって、表示部を備えた複数の内線電話機を接続するための内線インターフェイスと、脱着可能な記憶媒体を接続し、該記憶媒体に記憶された文字列ファイルデータを読み取ることができる記憶媒体読込手段と、記憶媒体読込手段を動作させ、記憶媒体から文字列ファイルデータを読み出して記憶手段に記憶するとともに、該文字列ファイルデータに従って内線電話機の表示部に文字列を表示する制御手段とを備えたことを特徴とする構内交換機であり、予め記憶手段に言語データを記憶しておかなくても、利用者の選択により極めて容易に必要な言語の文字列データを、内線電話機の表示部に表示することができるという作用を有する。
【００１１】
本発明の第２の発明は、第１の発明において、制御手段は、記憶媒体読込手段により読み出したデータに予め設定された文字列ファイル名のデータがあった場合に、記憶媒体から文字列ファイルデータを読み出して記憶手段に記憶することを特徴とする構内交換機であり、文字列ファイルデータ以外のデータが記憶媒体に記憶されている場合に、誤って記憶手段に記憶することを防止することができるという作用を有する。従って、文字列ファイルデータ以外のデータを記憶手段に記憶することによって、内線電話機に解読不能な文字列が表示されることを避けることができる。
【００１２】
本発明の第３の発明は、第２の発明において、制御手段は、記憶媒体に予め設定された文字列ファイル名のデータが２以上存在していると判定した場合には、存在する文字列ファイル名のデータ全てを読み出して、記憶手段に記憶することを特徴とする構内交換機であり、複数の文字列ファイルデータ記憶手段に記憶することができるという作用を有する。
【００１３】
本発明の第４の発明は、第３の発明において、内線電話機ごとに、記憶手段に記憶した文字列ファイルの１つを対応付ける内線電話機言語テーブルが設けられたことを特徴とする構内交換機であり、内線電話機毎に利用者に応じた言語の文字列等の表示を行うことができるという作用を有する。
【００１４】
本発明の第５の発明は、第１〜４のいずれかの発明において、制御手段は、電源が入力された場合または読み込み要求があった場合に、記憶媒体読込手段を動作させ、記憶媒体から文字列ファイルデータを読み出して記憶手段に記憶することを特徴とする構内交換機であり、電源立ち上げ時に自動的に、または利用者や設置者からの要求（ＰＣ等を使用して命令）をしたときのみ記憶媒体の文字列ファイルデータを読み出すことができるため、内線電話機２の表示手段に文字列を表示する際、わざわざ記憶媒体読込手段を動作させて記憶手段から言語データを読み込む必要がないので、表示手段への表示の遅延を防ぐことができ、更に記憶媒体読込手段１６の寿命が短くなることを防ぐことも可能となるという作用を有する。
【００１５】
本発明の第６の発明は、第４または５の発明において、制御手段は、内線電話機の表示部に表示した文字列を変更するときに、内線電話機言語テーブルを参照して、表示部に表示する文字列ファイルを選択するとともに、該選択した文字列ファイルを記憶手段から取り出して、内線電話機の表示部に文字列を変更表示することを特徴とする構内交換機であり、内線電話機の表示手段にメッセージを表示する直前に、言語データを選択し、表示に必要なメッセージを取り出すので、表示に不要なメッセージを言語データテーブル以外で保持する必要がなくなるという作用を有する。
【００１６】
本発明の第７の発明は、第１〜６のいずれかの発明において、所定の言語で記述された基本文字列ファイルを記憶する第２の記憶手段を備え、制御手段は、電源が入力された場合または読み込み要求があった場合に、記憶媒体読込手段を動作させ、記憶媒体から文字列ファイルデータを読み出すことができないと判定した場合には、第２の記憶手段に記憶した基本文字列ファイルの文字列データを読み出して、内線電話機の表示部に文字列として表示することを特徴とする構内交換機であり、記憶媒体がない場合や記憶媒体に所定のデータがない等でも、内線電話機の表示手段に所定の言語の文字列を表示することが可能となり、また構内交換機に記憶しておくべき言語データが一つでよいので、記憶手段に確保しておくべき記憶領域も少なくて済むという作用を有する。
【００１７】
本発明の第８の発明は、表示部を備えた内線電話機を接続可能な構内交換機であって、第１の言語で記述された複数の文字列から構成される第１の文字列ファイルと第２の言語で記述された複数の文字列から構成される１以上の第２の文字列ファイルとが同一の配列構造で対応付けられて記憶可能な第１の記憶手段と、内線インターフェイスごとに第１の文字列ファイルまたは第２の文字列ファイルを指定する指定手段と、指定手段により指定され、内線電話機が接続される内線インターフェイスごとに第１の文字列ファイルまたは第２の文字列ファイルを関連付けた電話機言語テーブルと、脱着可能な記憶媒体を接続し、該記憶媒体に記憶された文字列ファイルデータを読み取ることができる記憶媒体読込手段と、電源が入力されたとき記憶媒体読込手段を動作させ、記憶媒体読込手段により読み出したデータに予め設定された文字列ファイルのファイル名があった場合には、記憶媒体読込手段により記憶媒体から文字列ファイルを読み出させるとともに、所定の順序で配列構造の１以上の文字列ファイルとして第１の記憶手段に記憶させ、内線電話機言語テーブルに基づいて、記憶手段の文字列ファイルを選択するとともに、該文字列ファイルから内線電話機の表示部に表示する文字列を取り出して、内線電話機に送信する制御手段と、を備えたことを特徴とする構内交換機であり、ユーザの設置環境毎に必要な言語データを記憶媒体に記憶しておきさえすれば、交換機への電源入力（電源ＯＮ）の際に、記憶媒体から言語データを読み込んで構内交換機内部の記憶手段記憶するので、不必要な言語データを記憶しておく必要がなく、記憶手段を効率よく使用することができる。また、内線電話機の表示手段に文字列を表示する際、わざわざ記憶媒体読込手段を動作させて記憶手段から言語データを読み込む必要がないので、表示手段への表示の遅延を防ぐことができ、更に記憶媒体読込手段の寿命が短くなることを防ぐことも可能となるという作用を有する。
【００１８】
本発明の第９の発明は、第８の発明において、所定の言語で記述される複数の文字列を有する基本文字列ファイルを記憶する第２の記憶手段を備え、制御手段は、記憶媒体読込手段により読み出したデータに文字列ファイルのファイル名がなかった場合には、第２の記憶手段から基本文字列ファイルを取り出し、該基本文字列ファイルを、第１の文字列ファイルとして第１の記憶手段に記憶させることを特徴とする請求項９に記載の構内交換機であり、記憶媒体がない場合や記憶媒体に所定のデータがない等でも、内線電話機の表示手段に所定の言語の文字列を表示することが可能となり、また構内交換機に記憶しておくべき言語データが一つでよいので、記憶手段に確保しておくべき記憶領域も少なくて済むという作用を有する。
【００１９】
以下、本発明の実施の形態について、図面を参照しながら説明する。
【００２０】
（実施の形態１）
図１は本発明の実施の形態１における構内交換機の構成図、図２は本発明の実施の形態１における言語データテーブル図、図３は本発明の実施の形態１における内線言語データテーブル図、図４は本発明の実施の形態１における言語テーブルの構成図である。
【００２１】
図１において、１は構内交換機、２，２ａ，・・，２ｎは内線電話機である。内線電話機２は内線電話機２ａ，・・，２ｎの総称である。１１はアナログ電話回線との接続及び通信を行うアナログ外線インターフェイス、１２はデジタル電話回線との接続及び通信を行うデジタル外線インターフェイス、１３ａ〜１３ｎは内線電話機２ａ，・・，２ｎを接続するための内線インターフェイス、１４はアナログ外線インターフェイス１１、デジタル外線インターフェイス１２、内線インターフェイス１３ａ〜１３ｎ間の音声信号の接続及び切断を行うためのスイッチ手段、１５はメモリーカードなどの記憶媒体、１６は脱着可能な記憶媒体１５に記憶された文字列ファイルなどのデータを読み取るための記憶媒体読込手段、１７はプログラムや各種設定内容を記憶するとともにデータ書き込みと読出しを行う記憶手段、１７ａは記憶手段１７に設けられた言語データテーブル、１７ｂは記憶手段１７に設けられた電話機言語テーブルである。この言語データテーブル１７ａは、記憶媒体読込手段１６により記憶媒体１５から読み取られた１以上の文字列ファイルデータをテーブル番号と関連付けたテーブルであり、また、電話機言語テーブル１７ｂは、言語データテーブル１７ａに記憶された文字列ファイルデータのうち、内線電話機で使用する言語データの一つを内線毎に関連付けたテーブルである。なお、ここで文字列ファイルデータとは、所定の言語で記述された１または２以上の文字列を有するファイルデータであり、ファイル名が与えられているものである。例えば、言語データでいえば、日本語の文字列ファイルデータは、日本語で記述された複数の表示用メッセージ「着信」「メッセージあり」等の文字列を所定の順序で配列したファイルデータであり、ファイル名として「ｊｐ」等が付与される。そして、電話機言語テーブル１７ｂには、こうした複数の言語文字列ファイルデータが表示用メッセージごとに対応付けられた配列の構造で格納される。なお、実施の形態１においては、文字列ファイルデータとして言語データを挙げているが、言語データに限られない。
【００２２】
１８は後述するパーソナルコンピュータ（以下、ＰＣ）を接続可能に構成され、ＰＣと制御手段間の通信を行うためのＰＣインターフェイス、１９はＰＣであり、このＰＣからＰＣインターフェイス１８を介して、構内交換機１の様々な設定が可能である。
【００２３】
２０は構内交換機１全体を制御する制御手段、２０ａはファイル制御手段、２０ｂはＬＣＤ制御手段、２０ｃはサービス制御手段、２０ｄは内線制御手段である。ここで、ファイル制御手段２０ａは、電源が入力されたときあるいはＰＣ１９からＰＣインターフェイス１８を介して要求を受けたときなどに、記憶媒体読込手段１６を動作させ、記憶媒体１５に予め設定しておいた文字列ファイルのファイル名があった場合には、記憶媒体１５から文字列ファイルを読み出し、この文字列ファイルが１のみのときは、第１の文字列ファイルとして、文字列ファイルが２以上のときは、第１の文字列ファイル、第２の文字列ファイル，・・というように、ファイル数に応じて順次、言語データテーブル１７ａに記憶させるように制御する。
【００２４】
なお、このファイル制御手段２０ａは、文字列ファイルのファイル名称に予め優先度をつけて、優先度の高いものから順に言語データテーブル１７ａに記憶させることも可能である。このようにすれば、記憶媒体１５に記憶されている順番とは関係なく、ユーザによく使用される言語順、例えば第１の文字列ファイルとして英語、第２の文字列ファイルとして日本語、第３の文字列ファイルとして仏語、第４の文字列ファイルとして独語、第５の文字列ファイルとして中国語というような順に自動的に言語データテーブル１７ａに記憶させることができ、これによって電話機言語テーブル１７ｂを設定するときに、第１の文字列ファイルから読み出せば、高頻度で使用される言語順に選択肢が現れるようになり、設定が容易になる。さらに、ＰＣ１９から構内交換機１を使用する国名を入力させ、その国で使用される順に優先度をつけるようにすることも、設定を容易にする。
【００２５】
また、ＬＣＤ制御手段２０ｂは、内線電話機２の表示部（この場合、図示しないＬＣＤ）に表示すべき文字列ファイルを電話機言語テーブル１７ｂに基づいて判定し、言語データテーブル１７ａから判定した言語の文字列ファイル、例えばファイル名「ｊｐ」のファイルを選択し、そのファイルデータから表示すべき文字列を取り出して、内線電話機２に文字列データを送信する等の制御を行う。
【００２６】
図２は言語データテーブル１７ａの構成を示すもので、このテーブルは、ファイル制御手段２０ａにより、記憶媒体１５から読み出した文字列ファイルデータ（以下、「言語データ」という）の順にテーブル番号と対応付けられて記憶手段１７に登録されてものである。例えば、最初に読み出された言語データＡはテーブル番号１の位置に格納され、次に読み出された言語データＢはテーブル番号２の位置に、３番目に読み出された言語データＣはテーブル番号３の位置に格納され、これが繰返されて、言語データＪはテーブル番号１０の位置に格納される。
【００２７】
なお、上述のように言語データに優先度をつけて、優先度の高い方から順にテーブル番号と対応付けるようにしてもよい。このときテーブル番号１が優先度が最も高い言語データと格納箇所となり、テーブル番号２が次に優先度の高い言語データの格納箇所、・・となる。また、言語データの各々は、基本的にそれぞれ異なる言語で構成されるものであって、例えば言語データＡは日本語、言語データＢは英語、言語データＣは仏語というように構成されるが、言語データＡと言語データＢを同じ言語で構成し、ファイルデータに含まれる文字列の各々を異なる表現とするように構成することも可能である。このようにすれば、博多弁や東北弁のように地方に応じた表現の文字列を内線電話機２の表示部に表示することも可能となる。
【００２８】
図３は電話機言語データテーブル１７ａであり、内線電話機２毎に表示部に表示する言語データの一つが対応付けられて登録される。この対応付けはＰＣ１９や内線電話機２から設定可能である。このＰＣ１９や内線電話機２等が実施の形態１における指示手段である。図３に示すように、内線電話機「Ｔｅｌ１」はテーブル番号２の言語データＢ、例えば英語が対応付けられ、内線電話機「Ｔｅｌ２」はテーブル番号１の言語データＡ、例えば日本語が対応付けられる。設定は、ＰＣ１９等の画面上で、言語データテーブルに登録された言語データ名を一覧表示し、その中から所望の言語データ名をカーソル等で選択することにより行うことができる。なお、図示しないが、時間ごとに言語データを選択するようにしてもよい。例えば、昼間のうちは、英語の言語データを、夜間は仏語の言語データを一つの内線電話機に設定するようにすれば、一つの内線電話機を昼と夜で異なる者が使用した場合でも、所望の言語を内線電話機に表示することが可能となる。
【００２９】
図４は、各言語データが記憶手段１７にどのような形態で格納されるのか、データ格納構造を示すものであり、各言語データに含まれる複数の文字列が対応付けられて格納される形態を示している。例えば、メッセージ番号ａの領域には、テーブル番号１の記憶領域に格納される言語データが言語データＡ（例えば、日本語）であれば、「着信」という文字列が、テーブル番号２の領域に格納される言語データが言語データＢ（例えば、英語）であれば「Ｉｎｃｏｍｉｎｇ  Ｃａｌｌ」という文字列がデータとして格納される。「着信」と「Ｉｎｃｏｍｉｎｇ  Ｃａｌｌ」の文字列の内容は対応している。このようにテーブル番号１，２，３，・・の記憶領域に格納される各言語データは、メッセージ番号で各文字列の内容が同等で対応付けられ、各言語データで同一の配列構造から構成されているため、構内交換機のＬＣＤ制御手段２０ｂは、表示すべきメッセージのメッセージ番号から言語データの種類に関わらず、簡単に適切なメッセージを取り出すことが可能となる。
【００３０】
また、図４に示すように文字列の内容の配列が言語データに関わらず、一定であれば、メッセージ番号が言語データ内に存在する必要はなく、ＣＳＶ形式のようなものでもよい。この場合、カンマなどの区切りを基準に文字列の順番をカウントして、適切な文字列を取り出すことができる。なお、リターン区切り等同様である。
【００３１】
以上のように構成された構内交換機１について、記憶媒体１５から言語データを読み込んで、言語データテーブル１７ａに登録するまでの動作を図５のフローチャートを用いて以下に具体的に説明する。図５は本発明の実施の形態１における構内交換機の起動時のフローチャートである。
【００３２】
まず、構内交換機１のメイン電源をＯＮにすると、制御手段２０は構内交換機１の種々のデータを初期化する処理を開始する（Ｓ１）。その後、ファイル制御手段２０ａは、言語データテーブル１７ａを初期化して、空の状態にする（Ｓ２）。テーブル番号１，２，３・・の各記憶領域に言語データが読み込み可能になる。次に、ファイル制御手段２０ａは、記憶媒体読込手段１６を動作させ（Ｓ３）、予め設定してある言語データのファイル名と比較し、記憶媒体１５に該当するファイル名があった場合には、その言語データのデータを記憶媒体１５から読み出し、この言語データが１ファイルのみのときは、第１の言語データとして、言語データが２以上のファイルのときは、第１の言語データ、第２の言語データというように順次、言語データテーブル１７ａに記憶させるように制御する（Ｓ４〜Ｓ５）。そして、記憶媒体１５に記憶された全言語データのデータを読み込み、読み込むべき言語データがなくなったと判定した場合には、記憶媒体読込手段１６の動作を終了する（Ｓ６）。また、Ｓ４において、記憶媒体１５に所定の言語データのファイル名がなかった場合や記憶媒体１５が記憶媒体読込手段１６に接続されていない場合についても、Ｓ６の読込未のファイルがない場合の１つの場合として扱い、記憶媒体読込手段１６の動作を終了する（Ｓ６）。なお、記憶媒体１５に言語データのファイル名があるかどうかの判定は、言語データのファイル名のデータを記憶手段１７に記憶しておくことにより行うことができる。
【００３３】
このように、本発明の実施の形態１によれば、ユーザの設置環境毎に必要な言語データを記憶媒体１５に記憶しておきさえすれば、構内交換機１への電源入力（電源ＯＮ）の際に、記憶媒体１５から言語データを読み込んで構内交換機１内部の記憶手段１７に記憶するので、不必要な言語データを記憶しておく必要がなく、記憶手段１７を効率よく使用することができる。また、内線電話機２の表示部に文字列を表示する際、わざわざ記憶媒体読込手段１６を動作させて記憶手段１７から言語データを読み込む必要がないので、表示部への表示の遅延を防ぐことができ、さらに記憶媒体読込手段１６の寿命が短くなることを防ぐことも可能となる。
【００３４】
また、記憶媒体１５に所定の言語データのファイル名がなかった場合や、記憶媒体１５が記憶媒体読込手段１６に接続されていない場合には、記憶媒体読込手段１６の動作を終了することとしたので、内線電話機２の表示部には文字列が表示されないこととなる。従って、記憶媒体１５が記憶媒体読込手段１６に接続されていないことや誤った記憶手段１７を接続したことを、利用者や設置者などが容易に発見することが可能となる。また、構内交換機１の設定情報データ等、記憶媒体１５から構内交換機１が読み込む必要があるデータが存在する場合にも、内線電話機２の表示部には文字列が表示されなければ、設定情報データ等が構内交換機１に読み込まれていないと推測できる点で有効である。
【００３５】
なお、本実施の形態１では、記憶媒体１５に所定の言語データのファイル名がなかった場合や記憶媒体１５が記憶媒体読込手段１６に接続されていない場合には、言語データテーブル１７ａに言語データが登録されないことになるが、構内交換機１に、所定の言語で記述された言語データ（本発明の実施の形態１の基本文字列ファイル）を予め記憶手段１７の所定の領域に記憶しておき、記憶媒体１５に所定の言語データのファイル名がなかった場合や、記憶媒体１５が記憶媒体読込手段１６に接続されていない場合に、ファイル制御手段２０ａにより、記憶手段の所定領域に記憶しておいた言語データを言語データテーブル１７ａに登録するようにすることもできる。このようにすれば、記憶媒体１５がない場合等においても、内線電話機２の表示部にデフォルトで所定の言語の文字列を表示することが可能となり、また構内交換機１に記憶しておくべき言語データが一つでよいので、記憶手段１７に確保しておくべき記憶領域も少なくて済む。
【００３６】
次に、このように言語データテーブル１７ａに登録された言語データのデータが、どのように内線電話機２の表示部に表示されるかを図６のシーケンスチャートを用いて以下に具体的に説明する。図６は本発明の実施の形態１における内線電話機への表示動作のフローチャートである。
【００３７】
構内交換機１のサービス制御手段２０ｃは、内線制御手段２０ｄに対し、内線Ａ（例えば、内線番号Ｔｅｌ１の内線電話機２ａ）の表示部にメッセージ番号ｅを表示するように要求する（Ｓ１０）。この要求を受けた内線制御手段２０ｄは、ＬＣＤ制御手段２０ｂに対し、内線Ａ情報（例えば、内線番号Ｔｅｌ１）及びメッセージｅを含むメッセージ送信要求を行う（Ｓ１１）。このメッセージ送信要求を受けたＬＣＤ制御手段２０ｂは、送信要求中に含まれる内線Ａ情報に関連する言語データ情報を電話機言語テーブル１７ｂから取り出す。そして、取り出した言語データ情報に対応するテーブル番号２（言語データＢ）を言語データテーブル１７ａから選択し、この言語データテーブル１７ａ中のメッセージｅに該当するメッセージ「ｍｅｓｓａｇｅ  Ｗａｉｔｉｎｇ」を取り出す（Ｓ１２）。ＬＣＤ制御手段２０ｂは取り出したメッセージ「ｍｅｓｓａｇｅ  Ｗａｉｔｉｎｇ」を内線制御手段２０ｄに通知する（Ｓ１３）。内線制御手段２０ｄは内線Ａ（例えば、内線番号Ｔｅｌ１）に対し、ＬＣＤ制御手段２０ｂから通知されたメッセージ「ｍｅｓｓａｇｅ  Ｗａｉｔｉｎｇ」を表示するように要求する（Ｓ１４）。なお、内線制御手段２０ｄは所定間隔でこのメッセージを表示するように要求し、表示内容に変更が生じた場合、ＬＣＤ制御手段２０ｂからメッセージが通知されたときに、内線電話機２に送信するメッセージ表示要求の内容を変更する。
【００３８】
以上のように本実施の形態１によれば、内線電話機２の表示部にメッセージを表示する直前に、言語データを選択し、表示に必要なメッセージを取り出すので、表示に不要なメッセージを言語データテーブル１７ａ以外、例えば内線制御手段２０ｄで保持する必要がなくなる。
【００３９】
【発明の効果】
本発明は、記憶媒体から文字列ファイルデータを読み出して記憶手段に記憶するとともに、記憶手段に記憶した文字列ファイルデータに従って、内線電話機の表示部に文字列を表示する制御手段とを備えたので、予め記憶手段に言語データを記憶しておかなくても、利用者の選択によりきわめて容易に必要な言語の文字列データを、内線電話機の表示部に表示することができる。
【図面の簡単な説明】
【図１】本発明の実施の形態１における構内交換機の構成図
【図２】本発明の実施の形態１における言語データテーブル図
【図３】本発明の実施の形態１における内線言語データテーブル図
【図４】本発明の実施の形態１における言語テーブルの構成図
【図５】本発明の実施の形態１における構内交換機の起動時のフローチャート
【図６】本発明の実施の形態１における内線電話機への表示動作のフローチャート
【符号の説明】
１  構内交換機
１１  アナログ外線インターフェイス
１２  デジタル外線インターフェイス
１３  内線インターフェイス
１４  スイッチ手段
１５  記憶媒体
１６  記憶媒体読込手段
１７  記憶手段
１７ａ  言語データテーブル
１７ｂ  電話機言語テーブル
１８  ＰＣインターフェイス
１９  パーソナルコンピュータ（ＰＣ）
２０  制御手段
２０ａ  ファイル制御手段
２０ｂ  ＬＣＤ制御手段
２０ｃ  サービス制御手段
２０ｄ  内線制御手段
【図１】
2004282333.tif 000003
【図２】
2004282333.tif 000004
【図３】
2004282333.tif 000005
【図４】
2004282333.tif 000006
【図５】
2004282333.tif 000007
【図６】
2004282333.tif 000008